(57)【要約】【課題】アクチュエータのプランジャの作動不良を抑制しつつ異音の発生を抑制することのできるシフトロック装置を提供する。【解決手段】シフトレバー装置１０は、シフトレバー１４と、シフトレバー１４をＰレンジにおいて保持しかつシフトボタン３０の操作によりその保持を解除するディテントロッド３２を有するディテント機構３６と、を備える。シフトロック装置４０は、ソレノイド４２を備える。シフトレバー１４のＰレンジにおいて進出されたプランジャ４６に対するグルーブドピン３４の当接によってディテントロッド３２の解除動作が規制される。ベースブラケット１２には、ソレノイド本体４３がプランジャ４６に対するグルーブドピン３４の当接により傾動するようにガタを持たせて設けられる。ソレノイド本体４３のガタつきを抑制する弾性保持片６２が設けられる。【選択図】図１
2019018645.tif 000002
【特許請求の範囲】
【請求項１】
Ｐレンジを含む複数のシフトレンジのうちの１つのシフトレンジを選択するシフトレバーと、前記シフトレバーをＰレンジにおいて保持しかつディテント解除ボタンの操作によりその保持を解除するディテントロッドを有するディテント機構と、を備える自動変速機用シフトレバー装置において、
アクチュエータ本体にプランジャが進退移動可能に設けられたアクチュエータを備えており、
前記アクチュエータ本体は、前記シフトレバーを支持する支持部材に設けられており、
前記ディテントロッドには、前記プランジャに対応する係合部が設けられており、
前記シフトレバーのＰレンジにおいて進出された前記プランジャに対する前記係合部の当接によって前記ディテントロッドの解除動作が規制され、かつ、前記プランジャの退避によって前記ディテントロッドの解除動作の規制が解除されるシフトロック装置であって、
前記支持部材には、前記アクチュエータ本体が前記プランジャに対する前記係合部の当接により傾動するようにガタを持たせて設けられており、
前記アクチュエータ本体のガタつきを抑制する弾性部材が設けられている、シフトロック装置。
【請求項２】
請求項１に記載のシフト装置であって、
前記弾性部材は、前記支持部材に一体成形によって形成されている、シフトロック装置。
【請求項３】
請求項１又は２に記載のシフト装置であって、
前記支持部材には、前記係合部の当接による前記プランジャの傾動量を所定量に規制するストッパ部が設けられている、シフトロック装置。
【発明の詳細な説明】
【技術分野】
【０００１】
本発明は、シフトロック装置、詳しくは、自動車等の車両における自動変速機用シフトレバー装置に設けられるシフトロック装置に関する。
【背景技術】
【０００２】
従来例にかかるシフトロック装置を説明する。図８はシフトレバー装置を示す側面図である。図８に示すように、シフトレバー装置１００は、ベースブラケット１０２とディテントプレート１０４とシフトレバー１０８とを備えている。ベースブラケット１０２にディテントプレート１０４が設けられており、ディテントプレート１０４にシフトレバー１０８が支軸１０６により回動可能に支持されている。ディテントプレート１０４には、ディテント孔１０５が形成されている。ディテント孔１０５は、自動変速機（図示略）の各レンジに対応する溝を備えている。シフトレバー１０８は、中空状をなしており、軸方向に延在する長孔１１２を有している。シフトレバー１０８の上端部には、ノブボタン１１６を備えるノブ１１４が設けられている。シフトレバー１０８内には、ノブボタン１１６の操作により動作するディテントロッド１１８が挿入されている。ディテントロッド１１８は、ロッドスプリング（図示略）によりノブ１１４側に付勢されている。ディテントロッド１１８には、グルーブドピン１２０が取り付けられている。グルーブドピン１２０は、シフトレバー１０８の長孔１１２を通してディテントプレート１０４のディテント孔１０５内に挿入されている。
【０００３】
ベースブラケット１０２には、ソレノイド１２２が取り付けられている。ソレノイド１２２は、ソレノイド本体１２３にプランジャ１２４が進退移動可能に設けられている。プランジャ１２４は、通電のオンにより吸引（退避）される。また、プランジャ１２４は、プランジャスプリング１２５の弾性により進出方向に付勢されている。なお、ディテントプレート１０４、ノブボタン１１６、ディテントロッド１１８、グルーブドピン１２０等によりディテント機構１２８が構成されている。また、ソレノイド１２２を主体としてシフトロック装置１３０が構成されている。
【０００４】
シフトレバー１０８がＰレンジにある状態（図８参照）では、グルーブドピン１２０がディテント孔１０５のＰレンジに対応する溝に係合されている。また、ソレノイド１２２の通電がオフされた状態では、プランジャ１２４がプランジャスプリング１２５の弾性力により進出されている。この状態で、ブレーキ操作をしないで、ノブボタン１１６を操作すると、グルーブドピン１２０がプランジャ１２４に当接する。これにより、ディテントロッド１１８の支軸１０６側への移動（解除動作）が規制される。よって、シフトレバー１０８をＰレンジから他のレンジへシフト操作できない。また、ブレーキ操作がなされると、ソレノイド１２２の通電がオンされ、プランジャ１２４が吸引（退避）される。これにより、プランジャ１２４によるグルーブドピン１２０の移動規制が解除される。したがって、ノブボタン１１６を操作すれば、ディテントロッド１１８が支軸１０６側へ移動され、ディテント孔１０５に対するグルーブドピン１２０の係合が解除される。よって、シフトレバー１０８をＰレンジ以外の他のレンジにシフト操作することができる。なお、従来例にかかるシフトレバー装置は、例えば、特許文献１に開示されている。
【先行技術文献】
【特許文献】
【０００５】
【特許文献１】特開平１０−１１０６６３号公報
【発明の概要】
【発明が解決しようとする課題】
【０００６】
従来例によると、シフトロック時にソレノイド１２２のプランジャ１２４にグルーブドピン１２０が当接した際に、プランジャ１２４がソレノイド本体１２３に対して傾いてこじられることにより、プランジャ１２４の作動不良を招くおそれがある。また、プランジャ１２４の作動不良を抑制するため、ソレノイド本体１２３とプランジャ１２４との間に径方向にガタを持たせることによって、プランジャ１２４のこじれを抑制することも考えられる。しかし、これでは、プランジャ１２４に対するグルーブドピン１２０の当接時やプランジャ１２４の作動時にガタつきによる異音が発生しやすくなる。
【０００７】
本発明が解決しようとする課題は、アクチュエータのプランジャの作動不良を抑制しつつ異音の発生を抑制することのできるシフトロック装置を提供することにある。
【課題を解決するための手段】
【０００８】
前記した課題は、本発明のシフトロック装置により解決することができる。
【０００９】
第１の発明は、Ｐレンジを含む複数のシフトレンジのうちの１つのシフトレンジを選択するシフトレバーと、前記シフトレバーをＰレンジにおいて保持しかつディテント解除ボタンの操作によりその保持を解除するディテントロッドを有するディテント機構と、を備える自動変速機用シフトレバー装置において、アクチュエータ本体にプランジャが進退移動可能に設けられたアクチュエータを備えており、前記アクチュエータ本体は、前記シフトレバーを支持する支持部材に設けられており、前記ディテントロッドには、前記プランジャに対応する係合部が設けられており、前記シフトレバーのＰレンジにおいて進出された前記プランジャに対する前記係合部の当接によって前記ディテントロッドの解除動作が規制され、かつ、前記プランジャの退避によって前記ディテントロッドの解除動作の規制が解除されるシフトロック装置であって、前記支持部材には、前記アクチュエータ本体が前記プランジャに対する前記係合部の当接により傾動するようにガタを持たせて設けられており、前記アクチュエータ本体のガタつきを抑制する弾性部材が設けられている、シフトロック装置である。
【００１０】
第１の発明によると、アクチュエータのプランジャにディテントロッドの係合部が当接するときには、アクチュエータ本体が弾性部材の弾性を利用して傾動される。これにより、アクチュエータ本体に対するプランジャのこじれが抑制されることによって、プランジャの作動不良を抑制することができる。また、弾性部材によってアクチュエータ本体のガタつきが抑制されることにより、アクチュエータ本体のガタつきによる異音の発生を抑制することができる。
【００１１】
第２の発明は、第１の発明において、前記弾性部材は、前記支持部材に一体成形によって形成されている、シフトロック装置である。
【００１２】
第２の発明によると、支持部材に別体の弾性部材を組付ける場合と比べて、部品点数及び組付け工数を低減することができる。
【００１３】
第３の発明は、第１又は２の発明において、前記支持部材には、前記係合部の当接による前記プランジャの傾動量を所定量に規制するストッパ部が設けられている、シフトロック装置である。
【００１４】
第３の発明によると、ストッパ部によって、係合部の当接によるプランジャの傾動量を所定量に規制することができる。これにより、アクチュエータ本体の過剰な傾動を規制することができる。
【発明の効果】
【００１５】
本発明のシフトロック装置によると、アクチュエータのプランジャの作動不良を抑制しつつ異音の発生を抑制することができる。
【図面の簡単な説明】
【００１６】
【図１】実施形態１にかかるシフトレバー装置を示す側面図である。
【図２】シフトロック装置を示す平断面図である。
【図３】シフトロック装置をロック状態で示す側面図である。
【図４】シフトロック装置をアンロック状態で示す側面図である。
【図５】シフトロック装置をソレノイド本体が傾動した状態で示す側面図である。
【図６】実施形態２にかかるシフトロック装置をロック状態で示す側断面図である。
【図７】シフトロック装置をアンロック状態で示す側断面図である。
【図８】従来例にかかるシフトレバー装置を示す側面図である。
【発明を実施するための形態】
【００１７】
以下、本発明を実施するための形態について図面を用いて説明する。
【００１８】
［実施形態１］実施形態１を説明する。まず、自動変速機用シフトレバー装置（以下、「シフトレバー装置」という）の基本的構成から説明する。図１はシフトレバー装置を示す側面図、図２はシフトロック装置を示す平断面図である。図中、矢印ＵＰは車両上方、ＲＨは車両右方向、ＦＲは車両前方をそれぞれ示している。
【００１９】
図１に示すように、シフトレバー装置１０は、ベースブラケット１２とシフトレバー１４とを備えている。ベースブラケット１２には、貫通孔状のレバー収容空間部１６が形成されている。レバー収容空間部１６の上端側は、ベースブラケット１２の上面部に開口されている。レバー収容空間部１６の下端側は、ベースブラケット１２の下面部に開口されている。ベースブラケット１２は、レバー収容空間部１６を間にして左右一対の側壁部１７ａ，１７ｂを有している（図２参照）。ベースブラケット１２は、樹脂製である。ベースブラケット１２は、車両の固定側部材（図示略）に固定されている。なお、ベースブラケット１２は本明細書でいう「支持部材」に相当する。また、シフトレバー装置１０は、例えば、インパネシフト式シフトレバー装置であり、車両のインストルメントパネルに配置されている。
【００２０】
両側壁部１７ａ，１７ｂの後上部（図１において右上部）には、ディテント孔２０が形成されている。ディテント孔２０は、自動変速機（図示略）のＰ（パーキング）レンジ、Ｒ（後進段）レンジ、Ｎ（ニュートラル）レンジ、Ｄ（ドライブ）レンジ、２（前進段の第２速）レンジ、Ｌ（前進段の第１速）レンジに対応する階段状のディテント溝を有している。ディテント孔２０を含む周辺部をディテント部１９という。
【００２１】
シフトレバー１４は、レバー本体２２と、レバー本体２２の下端部に設けられたコントロールレバー２４とを備えている。レバー本体２２は、金属製で、中空管状に形成されている（図２参照）。コントロールレバー２４は、樹脂製で、レバー本体２２の下端部に一体成形によって形成されている。レバー本体２２とコントロールレバー２４との結合部分を含む周辺部は、ベースブラケット１２のレバー収容空間部１６内に配置されている。コントロールレバー２４は、ベースブラケット１２の両側壁部１７ａ，１７ｂに架かるシフト軸２６を介して回動可能に支持されている。なお、シフトレバー１４の操作方式は、ストレート式である。
【００２２】
レバー本体２２の先端部（上端部）には、シフトノブ２８が取り付けられている。シフトノブ２８には、シフトボタン３０がボタンスプリング（図示略）の付勢に抗して押し込み操作可能に設けられている。なお、シフトボタン３０は本明細書でいう「ディテント解除ボタン」に相当する。
【００２３】
コントロールレバー２４の先端部（下端部）には、自動変速機に連係されたシフトケーブル（図示略）が連結されている。シフトレバー１４の回動操作いわゆるシフト操作は、シフトケーブルを介して自動変速機に伝達されることで、自動変速機のシフトレンジのうちの１つのシフトレンジを選択する。コントロールレバー２４の上部において、レバー本体２２及びコントロールレバー２４を左右方向に貫通するガイド孔２２ａ，２４ａが形成されている（図２参照）。両ガイド孔２２ａ，２４ａは、レバー本体２２の軸方向（図１において上下方向）に延在する長孔状に形成されている。
【００２４】
レバー本体２２の中空部内には、ディテントロッド３２が軸方向に移動可能に挿入されている。ディテントロッド３２の下端部には、左右方向（図１において紙面表裏方向）に延在するグルーブドピン３４が設けられている。グルーブドピン３４の両端部は、シフトレバー１４の両ガイド孔２２ａ，２４ａを通してベースブラケット１２の両ディテント孔２０内に挿入されている（図２参照）。
【００２５】
ディテントロッド３２は、ロッドスプリング（図示略）によりシフトノブ２８側（図１において上方）へ付勢されている。シフトノブ２８内において、ディテントロッド３２とシフトボタン３０との間には、運動方向を変換するカム機構（図示略）が介在されている。すなわち、シフトボタン３０の押し込み操作により、カム機構（図示略）を介して、ディテントロッド３２がシフト軸２６側（図１において下方）へ移動されるようになっている。
【００２６】
ディテント部１９、シフトボタン３０、ディテントロッド３２、グルーブドピン３４等により、ディテント機構３６が構成されている。ディテント機構３６は、シフトレバー１４をＰレンジにおいて保持しかつシフトボタン３０の操作によりその保持を解除する。すなわち、シフトレバー１４のＰレンジ（図１参照）において、ディテントロッド３２のグルーブドピン３４がＰレンジに対応したディテント溝に係合することにより、シフトレバー１４がＰレンジに保持すなわちロックされる。
【００２７】
また、シフトボタン３０の押し込み操作により、ディテントロッド３２がシフト軸２６側（図１において下方）へ移動されたときには、Ｐレンジに対応したディテント溝に対するグルーブドピン３４の係合が解除すなわちアンロックされる。これにより、シフトレバー１４をＰレンジ以外の他のレンジにシフト操作（図１中、矢印Ｙ１参照）することができる。また、逆にＰレンジ以外の他のレンジからＰレンジへシフト操作するときには、シフトボタン３０を押し込み操作した状態で、シフトレバー１４をＰレンジへシフト操作した後、シフトボタン３０の押し込み操作を解除する。すると、ディテントロッド３２がロッドスプリング（図示略）の付勢によりシフトノブ２８側へ移動されることで、グルーブドピン３４がＰレンジに対応したディテント溝に係合される。これにより、シフトレバー１４がＰレンジに保持すなわちロックされる。
【００２８】
前記したシフトレバー装置１０には、シフトレバー１４をＰレンジにおいて保持したディテント機構３６の解除動作を規制しかつ車両のブレーキ操作に連動してディテント機構３６の解除動作の規制を解除するシフトロック装置４０が設けられている。図３はシフトロック装置をロック状態で示す側面図、図４は同じくアンロック状態で示す側面図である。
【００２９】
次に、シフトロック装置４０を説明する。図３に示すように、シフトロック装置４０は、ソレノイド４２を主体として構成されている。ソレノイド４２は、ベースブラケット１２の左側の側壁部１７ａの上部に形成されたソレノイド取り付け部５０に設置されている（図１及び図２参照）。ソレノイド４２には、プル型の電磁式ソレノイドが用いられている。なお、ソレノイド取り付け部５０は後で説明する。
【００３０】
ソレノイド４２は、ソレノイド本体４３とプランジャ４６とを有している。ソレノイド本体４３は、ヨーク４４とコイル４５とを備えている。ヨーク４４は、ベースブラケット１２のソレノイド取り付け部５０内にプランジャ４６を後方（図３において右方）に向けた状態で配置されている。ヨーク４４は、左右両側面（図３において紙面表裏方向）を開口しかつ前後方向（図３において左右方向）を長くする横長四角枠状に形成されている。コイル４５は、ヨーク４４内に軸方向を前後方向に向けた状態で収容されている。なお、コイル４５は、円筒状のボビン、ボビンに巻回された導線、ボビン内に挿入されたスリーブ等を備えている。
【００３１】
プランジャ４６は、丸軸状のシャフト部４７と、シャフト部４７の先端部（後端部）に同心状に形成された円板状のフランジ部４８と、フランジ部４８から後方（図３において右方）へ突出する板状のシフトロック部４９とを有している。シャフト部４７は、コイル４５内にその後方から軸方向に進退移動可能（往復移動可能）にかつ径方向にガタを持たせることなく挿入されている。なお、本明細書でいう「ガタ」とは、設計時に意図的に設けられたクリアランスのことをいう。したがって、シャフト部４７の往復移動に必要とされるクリアランスはガタには含まない。
【００３２】
ソレノイド本体４３とプランジャ４６との間には、プランジャ４６を突出方向（進出方向）へ付勢するプランジャスプリング（図示略）が介装されている。なお、プランジャ４６は、回り止め手段（図示略）によって軸回り方向の回動が規制されているものとする。
【００３３】
シフトロック部４９の板厚方向は、左右方向（図３において紙面表裏方向）に向けられている。シフトロック部４９は、側面視で横向きＴ字状に形成されており、上面４９ａと下面４９ｂと先端面４９ｃとを有している。先端面４９ｃは、プランジャ４６の軸線に直交する平面で形成されている。上面４９ａ及び下面４９ｂは、先端面４９ｃと直角をなす平面で形成されている。
【００３４】
ソレノイド４２は、シフトレバー１４がＰレンジに位置している状態で車両のブレーキ操作すなわちブレーキペダルの踏み込み操作に基づいて、図示しない制御装置（ＥＣＵ）により通電がオンされることにより、プランジャ４６が退避位置（吸引位置）に引き込まれるようになっている（図４参照）。図４に示すように、プランジャ４６の退避位置において、シフトロック部４９の先端面４９ｃは、ディテントロッド３２の軸方向の移動に伴うグルーブドピン３４の移動軌跡３４Ｌよりも前方（図４において左方）に位置する。
【００３５】
また、ソレノイド４２は、車両のブレーキ操作の解除に基づいて制御装置（ＥＣＵ）により通電がオフされることにより、プランジャ４６がプランジャスプリング（図示略）の付勢により進出位置へ突出されるようになっている（図３参照）。図３に示すように、プランジャ４６の進出位置において、シフトロック部４９の上面４９ａは、ディテントロッド３２のグルーブドピン３４の下方近くに位置される。なお、ソレノイド４２は本明細書でいう「アクチュエータ」に相当する。また、ソレノイド本体４３は本明細書でいう「アクチュエータ本体」に相当する。また、グルーブドピン３４は本明細書でいう「係合部」に相当する。
【００３６】
次に、ベースブラケット１２のソレノイド取り付け部５０を説明する。図１に示すように、ソレノイド取り付け部５０は、左側の側壁部１７ａに対して左側面を開口する横長四角形箱状に形成されている。ソレノイド取り付け部５０は、前壁部５１と後壁部５２と上壁部５３と下壁部５４とを有している。
【００３７】
図３に示すように、ソレノイド取り付け部５０内には、ソレノイド４２のソレノイド本体４３がガタを持たせて嵌合されている。後壁部５２には、左方（図３において紙面表方向）に開口する横向きＵ字状の切り欠き溝５６が形成されている。切り欠き溝５６には、プランジャ４６のシャフト部４７が所定の隙間を介して嵌合されている。なお、ソレノイド本体４３は、抜け止め手段（図示略）によって抜け止めされている。
【００３８】
下壁部５４の後端部（図３において右端部）の上面には、左右方向（図３において紙面表裏方向）に延在する断面台形形状の係止凸部５７が形成されている。係止凸部５７には、ソレノイド本体４３のヨーク４４の後端部の下面側に形成された逆Ｌ字状の段差部４４ａが係合されている。これにより、ソレノイド本体４３が、プランジャ４６に対するグルーブドピン３４の当接により、係止凸部５７とヨーク４４の段差部４４ａとの係合部分を支点として図３において右回り方向（図３中、矢印Ｙ２参照）に傾動可能とされている（図５参照）。
【００３９】
上壁部５３の後端部（図３において右端部）の下面には、左右方向（図３において紙面表裏方向）に延在する断面半円状の第１ガイド凸部５８が形成されている。通常時において、第１ガイド凸部５８には、ヨーク４４の後端部の上面が点接触状に当接又は近接されている。前壁部５１の後面には、左右方向に延在する断面半円状の上下一対の第２ガイド凸部５９が形成されている。通常時において、両第２ガイド凸部５９には、ヨーク４４のの前端面が点接触状に当接又は近接されている。
【００４０】
上壁部５３と前壁部５１との角部には、左右方向（図３において紙面表裏方向）に延在する開口部６１が形成されている。前壁部５１の上端部には、左右方向に延在する断面逆Ｕ字状の弾性保持片６２が弾性変形可能いわゆる撓み変形可能に形成されている。弾性保持片６２は、その先端部が開口部６１を通してソレノイド本体４３のヨーク４４の前端部の上面に当接されている。弾性保持片６２は、ベースブラケット１２に一体成形によって形成されている。なお、ソレノイド取り付け部５０は本明細書でいう「アクチュエータ取り付け部」に相当する。また、弾性保持片６２は本明細書でいう「弾性部材」に相当する。
【００４１】
図１に示すように、ベースブラケット１２の左側の側壁部１７ａには、ソレノイド４２のプランジャ４６のシフトロック部４９の下面４９ｂに対して近接するストッパ部６４が突片状に突出されている（図２参照）。ストッパ部６４は、シフトロック部４９の下面４９ｂと平行又は略平行をなす平板状に形成されている。
【００４２】
次に、シフトロック装置４０を備えたシフトレバー装置１０の動作について説明する。いま、シフトレバー１４がＰレンジにあり、ディテント機構３６によりシフトレバー１４がＰレンジに保持されているものとする（図１参照）。また、ソレノイド４２は通電のオフ状態にあり、プランジャ４６が進出位置にある。この状態（「ロック状態」という）では、ディテントロッド３２のグルーブドピン３４は、プランジャ４６のシフトロック部４９の上面４９ａの上方近くに位置している（図３参照）。
【００４３】
ロック状態において、車両の運転に際し、ブレーキ操作しないで、運転者がシフトボタン３０（図１参照）を押し込み操作したときには、ディテントロッド３２のシフト軸２６側への移動にともない、グルーブドピン３４がプランジャ４６のシフトロック部４９の上面４９ａに当接する（図３中、二点鎖線３４参照）。これにより、それ以上のディテントロッド３２の移動が規制される。すなわち、ディテント機構３６の解除動作が規制される。このため、シフトレバー１４をＰレンジから他のレンジへのシフト操作（図１中、矢印Ｙ１参照）することができない。
【００４４】
また、グルーブドピン３４がプランジャ４６のシフトロック部４９の上面４９ａに当接したときには、シフトロック部４９が下方へ押しやられる（図５参照）。これにともない、ソレノイド４２のソレノイド本体４３がベースブラケット１２のソレノイド取り付け部５０の弾性保持片６２の弾性を利用して傾動される。すなわち、ソレノイド本体４３が、係止凸部５７とヨーク４４の段差部４４ａとの係合部分を支点として図３において右回り方向（図３中、矢印Ｙ２参照）に傾動させられる。このとき、第１ガイド凸部５８（詳しくは、円弧状の外周面）によって、ヨーク４４の後端部の上面が摺動案内される。
【００４５】
また、シフトロック部４９がベースブラケット１２のストッパ部６４に当接する。これによって、プランジャ４６の傾動量が所定量に規制される。また、運転者がシフトボタン３０（図１参照）の押し込み操作を解除すると、ディテントロッド３２はロッドスプリングの付勢によりシフトノブ２８側へ押し戻される。これにともない、ソレノイド４２のソレノイド本体４３は、ベースブラケット１２のソレノイド取り付け部５０の弾性保持片６２の弾性によって原状位置（図３参照）へ押し戻される。
【００４６】
また、ロック状態において、車両のブレーキ操作に連動してソレノイド４２の通電がオンされると、プランジャ４６が引き込まれる（図４参照）。これにより、プランジャ４６のシフトロック部４９がグルーブドピン３４の下方近くから前方（図４において左方）へ移動する。続いて、運転者がシフトボタン３０（図１参照）を押し込み操作すると、ディテントロッド３２のシフト軸２６側への移動にともない、グルーブドピン３４は、プランジャ４６のシフトロック部４９に当接することなく下方へ移動する（図４中、二点鎖線３４参照）。すなわち、ディテント機構３６によるシフトレバー１４の保持が解除される。よって、シフトレバー１４をＰレンジから他のレンジへのシフト操作（図１中、矢印Ｙ１参照）することができる。また、シフトレバー１４がＰレンジ以外の他のレンジへシフト操作された後、ソレノイド４２の通電はオフされる。
【００４７】
また、シフトレバー１４がＰレンジ以外の他のレンジにある状態において、シフトボタン３０（図１参照）の押し込み操作によりディテントロッド３２がシフト軸２６側へ移動される。この状態で、シフトレバー１４がＰレンジにシフト操作された後、シフトボタン３０の押し込み操作を解除する。すると、ディテントロッド３２がロッドスプリング（図示略）によりシフトノブ２８側へ移動されるにともない、グルーブドピン３４がＰレンジに対応したディテント溝（図示略）に係合される。
【００４８】
また、シフトレバー１４の他のレンジからＰレンジへのシフト操作にともない、シフト軸２６側へ移動されたディテントロッド３２のグルーブドピン３４がソレノイド４２のプランジャ４６のシフトロック部４９の先端面４９ｃに当接する。すると、プランジャ４６がプランジャスプリングの付勢に抗して前方へ押しやられる。そして、シフトボタン３０の押し込み操作の解除にともない、ディテントロッド３２がシフトノブ２８側へ移動する。これにともない、グルーブドピン３４がプランジャ４６のシフトロック部４９の先端面４９ｃを摺動しつつ上方へ移動し、先端面４９ｃから離れると同時に、プランジャ４６がプランジャスプリングの付勢により進出位置へ押し戻される（図３参照）。
【００４９】
前記したシフトロック装置４０によると、ソレノイド４２のプランジャ４６にディテントロッド３２のグルーブドピン３４が当接するときには、ソレノイド本体４３が弾性保持片６２の弾性を利用して傾動される。これにより、ソレノイド本体４３に対するプランジャ４６のこじれが抑制されることによって、プランジャ４６の作動不良を抑制することができる。また、ソレノイド本体４３とプランジャ４６のシャフト部４７との間に径方向のガタを持たせる必要がなくなる。また、弾性保持片６２によってソレノイド本体４３のガタつきが抑制されることにより、ソレノイド本体４３のガタつきによる異音の発生を抑制することができる。
【００５０】
また、弾性保持片６２は、ベースブラケット１２に一体成形によって形成されている。したがって、ベースブラケット１２に別体の弾性保持片を組付ける場合と比べて、部品点数及び組付け工数を低減することができる。
【００５１】
また、ベースブラケット１２には、グルーブドピン３４の当接によるプランジャ４６の傾動量を所定量に規制するストッパ部６４が設けられている。したがって、ストッパ部６４によって、グルーブドピン３４の当接によるプランジャ４６の傾動量を所定量に規制することができる。これにより、ソレノイド本体４３の過剰な傾動を規制することができる。
【００５２】
また、ディテントロッド３２のグルーブドピン３４は、プランジャ４６に対応する係合部を兼用している。このため、ディテントロッド３２に専用の係合部を設定しなくて済む。
【００５３】
［実施形態２］実施形態２を説明する。本実施形態は、実施形態１に変更を加えたものであるから、その変更部分について説明し、実施形態１と同一の部位については同一符号を付してその説明を省略する。図６はシフトロック装置をロック状態で示す側断面図、図７は同じくアンロック状態で示す側断面図である。
【００５４】
図６に示すように、ソレノイド４２は、Ｐレンジのシフトレバー１４の前方側（図６において左側）すなわちＰレンジから他のレンジへのシフト方向とは反対側）に配置されている。また、ソレノイド４２は、シフトレバー１４のシフト方向（前方あるいは後方）から見てシフトレバー１４と重複する位置に配置されている。また、本実施形態では、シフトレバー１４の軸線（詳しくは、レバー本体２２の軸線）とプランジャ４６の軸線とは、同一平面内で交差している。また、シフトレバー１４のＰレンジにおいて、シフトレバー１４の軸線とプランジャ４６の軸線とが直交又は略直交している。
【００５５】
ソレノイド本体４３は、ベースブラケット（図示略）のシフトレバー１４の前方側に形成されたソレノイド取り付け部５０内に実施形態１と同様に配置されている。プランジャ４６のシフトロック部（符号、４９Ａを付す）は、長四角形板状に形成されている。
【００５６】
シフトレバー１４のレバー本体２２及びコントロールレバー２４の前側部（図６において左側部）には、開口孔２２ｂ，２４ｂが形成されている。開口孔２２ｂ，２４ｂは、レバー本体２２の軸方向に延びる長孔状に形成されている。ディテントロッド３２の前側部（図６において左側部）には、前方に開口する角溝状の係合凹部３５が形成されている。
【００５７】
ソレノイド４２のプランジャ４６のシフトロック部４９Ａは、シフトレバー１４の開口孔２２ｂ，２４ｂ内に挿入されている。プランジャ４６の進出位置において、シフトロック部４９Ａはディテントロッド３２の係合凹部３５内に係合されている（図６参照）。また、プランジャ４６の退避位置（吸引位置）において、シフトロック部４９Ａは、ディテントロッド３２の移動に伴うディテントロッド３２の移動軌跡よりも前方に位置される（図７参照）。なお、係合凹部３５は本明細書でいう「係合部」に相当する。
【００５８】
本実施形態によると、ロック状態（図１参照）において、車両の運転に際し、ブレーキ操作しないで、運転者がシフトボタン３０を押し込み操作したときには、ディテントロッド３２のシフト軸２６側への移動にともない、係合凹部３５の上側の溝壁面３５ａがプランジャ４６のシフトロック部４９Ａの上面に当接する（図６中、二点鎖線３５ａ参照）。これにより、それ以上のディテントロッド３２の移動が規制される。すなわち、ディテント機構３６の解除動作が規制される。このため、シフトレバー１４をＰレンジから他のレンジへのシフト操作することができない。
【００５９】
また、ロック状態（図６参照）において、車両のブレーキ操作に連動してソレノイド４２の通電がオンされると、プランジャ４６が引き込まれる（図７参照）。これにより、プランジャ４６のシフトロック部４９Ａがディテントロッド３２の係合凹部３５から前方へ移動する。続いて、運転者がシフトボタン３０（図１参照）を押し込み操作すると、ディテントロッド３２のシフト軸２６側への移動にともない、ディテントロッド３２は、プランジャ４６のシフトロック部４９Ａに当接することなく移動する。すなわち、ディテント機構３６によるシフトレバー１４の保持が解除される。よって、シフトレバー１４をＰレンジから他のレンジへのシフト操作することができる。
【００６０】
また、シフトレバー１４の他のレンジからＰレンジへのシフト操作にともない、シフト軸２６側へ移動されたディテントロッド３２の前側面がソレノイド４２のプランジャ４６のシフトロック部４９Ａの先端面に当接する。すると、プランジャ４６がプランジャスプリングの付勢に抗して前方へ押しやられる。そして、シフトボタン３０の押し込み操作の解除にともない、ディテントロッド３２がシフトノブ２８側へ移動する。これにともない、ディテントロッド３２がプランジャ４６のシフトロック部４９Ａの先端面を摺動しつつ上方へ移動し、シフトロック部４９Ａに係合凹部３５が対応すると同時に、プランジャ４６がプランジャスプリングの付勢により進出位置へ押し戻される（図６参照）。
【００６１】
本実施形態によると、ソレノイド４２をディテントロッド３２の前方に配置することができる。このため、シフトレバー装置１０の幅方向（左右方向）の寸法を低減することができる。
【００６２】
また、ソレノイド４２のプランジャ４６のシフトロック部４９Ａにディテントロッド３２のグルーブドピン３４が当接するときには、実施形態１と同様、ソレノイド本体４３が弾性保持片６２の弾性を利用して傾動される。このとき、プランジャ４６の傾動量を所定量に規制するため、本実施形態では、シフトレバー１４のレバー本体２２の開口孔２２ｂの下端縁を、コントロールレバー２４の開口孔２４ｂの下端縁よりも高い位置に設定している。したがって、シフトロック部４９Ａがレバー本体２２の開口孔２２ｂの下端縁に当接することによって、グルーブドピン３４の当接によるプランジャ４６の傾動量を所定量に規制することができる。これにより、ソレノイド本体４３の過剰な傾動を規制することができる。なお、レバー本体２２の開口孔２２ｂの下端縁は本明細書でいう「ストッパ部」に相当する。
【００６３】
［他の実施形態］本発明は前記した実施形態に限定されるものではなく、本発明を逸脱しない範囲における変更が可能である。例えば、本発明は、インパネシフト式に限らず、フロアシフト式、コラムシフト式等のシフトレバー装置に適用してもよい。また、アクチュエータとしては、ソレノイド４２に限らず、ロータリー式ソレノイド、電動式シリンダ等を用いることができる。また、弾性保持片６２に代えて、ベースブラケット１２とは別体の弾性部材、例えば、コイルスプリング、板バネ等のスプリング、あるいは、クッションゴム等を設けてもよい。また、実施形態では、ソレノイド４２のプランジャ４６の先端部に板状のシフトロック部４９，４９Ａを形成したが、プランジャ４６の軸状の先端部をそのままシフトロック部として用いてもよい。また、シフトロック部は、プランジャ４６に一体的に設けられた部材によって形成してもよい。
【符号の説明】
【００６４】
１０  シフトレバー装置
１２  ベースブラケット（支持部材）
１４  シフトレバー
３０  シフトボタン（ディテント解除ボタン）
３２  ディテントロッド
３４  グルーブドピン（係合部）
３５  係合凹部（係合部）
３６  ディテント機構
４０  シフトロック装置
４２  ソレノイド（アクチュエータ）
４３  ソレノイド本体（アクチュエータ本体）
４６  プランジャ
５０  ソレノイド取り付け部（アクチュエータ取り付け部）
６２  弾性保持片（弾性部材）
６４  ストッパ部
【図１】
2019018645.tif 000003
【図２】
2019018645.tif 000004
【図３】
2019018645.tif 000005
【図４】
2019018645.tif 000006
【図５】
2019018645.tif 000007
【図６】
2019018645.tif 000008
【図７】
2019018645.tif 000009
【図８】
2019018645.tif 000010